(57)【特許請求の範囲】
【請求項１】
ノート、ファイル等の裏紙又は表紙の広さよりもややせまい広さを有した基板１の下縁に第１下折線２、第１下中心折線３、第２下折線４を介して小幅第１連設板５、小幅第２連設板６及び基板１の上下寸法よりも短い寸法を有した折込板７を連設し、更に折込板７の左右縁に第１左右折線８・８、第１左右中心折線９・９、第２左右折線１０・１０を介して小幅第２連設板６と同一横幅の小幅第２左右連設板１１・１１、小幅第１連設板５と同一横幅の小幅第１左右連設板１２・１２及び貼着板１３・１３を連設し、且つ基板１の表側に折込板７を第１下中心折線３を介して折込むと共に基板１の裏側に第１左右中心折線９・９を介して貼着板１３・１３を折込み、該貼着板１３・１３を基板１の裏側に貼着して基板１の表側に挿入口部１４を備えた挿入袋部１５を有した扁平状袋体１６を形成し、且又扁平状袋体１６の背面に貼着のり層１７・１７を形成し、更に扁平状袋体１６の下部に小孔２１を設け、又扁平状袋体１６を形成した折込板７の上縁に切欠傾斜縁部２３を設け、又更に扁平状袋体１６の下部両側に切欠部２４を設けたことを特徴とする書類収納体。
【発明の詳細な説明】
【０００１】
【産業上の利用分野】
この発明はノート又はファイル等の開閉する裏紙、表紙又は適宜の台紙に貼着して使用する書類収納体に関するものである。
【０００２】
【従来の技術】
従来よりメモ紙に記載した事項をノート又はファイルに挟んだままにしておくことは知られている。
【０００３】
【発明が解決しようとする問題点】
ところでメモ紙に記載した事項を後でノートに移し替えるまでの間ノートに挟んだままにしておき、又はファイルに綴じ込むことが面倒でノートの使用と同様に挟んだままにしておくことで紛失する等のことが多々あるものである。
【０００４】
この発明は上記の問題点を解決したものであり、使用便利な書類収納体を得ることを目的としたものである。
【０００５】
【問題点を解決するための手段】
上記の目的を達成するためのこの発明は、ノート、ファイル等の裏紙又は表紙の広さよりもややせまい広さを有した基板１の下縁に第１下折線２、第１下中心折線３、第２下折線４を介して小幅第１連設板５、小幅第２連設板６及び基板１の上下寸法よりも短い寸法を有した折込板７を連設し、更に折込板７の左右縁に第１左右折線８・８、第１左右中心折線９・９、第２左右折線１０・１０を介して小幅第２連設板６と同一横幅の小幅第２左右連設板１１・１１、小幅第１連設板５と同一横幅の小幅第２左右連設板１２・１２及び貼着板１３・１３を連設し、且つ基板１の表側に折込板７を第１下中心折線３を介して折込むと共に基板１の裏側に第１左右中心折線９・９を介して貼着板１３・１３を折込み、該貼着板１３・１３を基板１の裏側に貼着して基板１の表側に挿入口部１４を備えた挿入袋部１５を有した扁平状袋体１６を形成し、且又扁平状袋体１６の背面に貼着のり層１７・１７を形成し、更に扁平状袋体１６の下部に小孔２１を設け、又扁平状袋体１６を形成した折込板７の上縁に切欠傾斜縁部２３を設け、又更に扁平状袋体１６の下部両側に切欠部２４を設けたものである。
【０００６】
【実施例】
以下図面についてこの発明の実施例を説明すると、１８はノート、ファイル等の裏紙、１９はノート、ファイル等の表紙であって、この裏紙１８又は表紙１９の広さよりもややせまい広さを有した基板１の下縁に第１下折線２、第１下中心折線３、第２下折線４を介して小幅第１連設板５、小幅第２連設板６及び基板１の上下寸法よりも短い寸法を有した折込板７を連設し、更に折込板７の左右縁に第１左右折線８・８、第１左右中心折線９・９、第２左右折線１０・１０を介して小幅第２連設板６と同一横幅の小幅第２左右連設板１１・１１、小幅第１連設板５と同一横幅の小幅第１左右連設板１２・１２及び貼着板１３・１３を連設し、且つ基板１の表側に折込板７を第１下中心折線３を介して折込むと共に基板１の裏側に第１左右中心折線９・９を介して貼着板１３・１３を折込み、該貼着板
１３・１３を基板１の裏側に貼着して基板１の表側に挿入口部１４を備えた挿入袋部１５を有した扁平状袋体１６を形成し、且又扁平状袋体１６の背面に貼着のり層１７・１７を形成したものであるが、基板１、折込板７及び貼着板１３・１３は強靭な厚紙又は透明、非透明で若干の柔軟性を有した合成樹脂板で形成し、且つ貼着のり層１７・１７は表面に剥離紙２０を備えた感圧性貼着剤を用いて形成し、使用者が裏紙１８又は表紙１９に剥離紙２０を剥離して貼着できるようにしたものであるが、その貼着のり層１７は感圧性貼着剤とは限らず全面又は部分に糊引きして貼着することもある。
【０００７】
又扁平状袋体１６の下部に小孔２１を設けたことで収納した書類２２が深く脱落しないように収納されているかを確認できるものである。
【０００８】
又扁平状袋体１６を形成した折込板７の上縁に切欠傾斜縁部２３を設けたことで挿入口部１４が広くなり書類２２の収納操作が容易である。
【０００９】
又扁平状袋体１６の下部両側に切欠部２４を設けたので書類２２が多くなつた際は第１下折線２、第１下中心折線３、第２下折線４を介して重なっている小幅第１連設板５、小幅第２連設板６と、第１左右折線８・８、第１左右中心折線９・９、第２左右折線１０・１０を介して重なっている小幅第２連設板６と同一横幅の小幅第２左右連設板１１・１１、小幅第１連設板５と同一横幅の小幅第１左右連設板１２・１２を拡げて扁平状袋体１６の厚みを出すことができる。
【００１０】
【発明の作用効果】
この発明は以上のような構成であり、ノート、ファイル等の裏紙又は表紙の広さよりもややせまい広さを有した基板１の下縁に第１下折線２、第１下中心折線３、第２下折線４を介して小幅第１連設板５、小幅第２連設板６及び基板１の上下寸法よりも短い寸法を有した折込板７を連設し、更に折込板７の左右縁に第１左右折線８・８、第１左右中心折線９・９、第２左右折線１０・１０を介して小幅第２連設板６と同一横幅の小幅第２左右連設板１１・１１、小幅第１連設板５と同一横幅の小幅第１左右連設板１２・１２及び貼着板１３・１３を連設し、且つ基板１の表側に折込板７を第１下中心折線３を介して折込むと共に基板１の裏側に第１左右中心折線９・９を介して貼着板１３・１３を折込み、該貼着板１３・１３を基板１の裏側に貼着して基板１の表側に挿入口部１４を備えた挿入袋部１５を有した扁平状袋体１６を形成し、且又扁平状袋体１６の背面に貼着のり層１７・１７を形成したことにより、ノート又はファイル等の開閉する裏紙、表紙又は適宜の台紙に貼着して使用し、メモ紙の脱落による紛失がなく使用便利である。
【００１１】
又特に扁平状袋体１６の下部両側に切欠部２４を設けたので書類２２が多くなつた際は第１下中心折線３と第１左右中心折線９・９を爪で押し第１下折線２、第１下中心折線３、第２下折線４を介して重なっている小幅第１連設板５、小幅第２連設板６と、第１左右折線８・８、第１左右中心折線９・９、第２左右折線１０・１０を介して重なっている小幅第２連設板６と同一横幅の小幅第２左右連設板１１・１１、小幅第１連設板５と同一横幅の小幅第１左右連設板１２・１２を拡げて扁平状袋体１６の厚みを出すことができるので収納を多くすることができ、更に重要な書類が挿入時に折れてしわができる等のおそれがないものである等使用上極めて好都合である。
【００１２】
又扁平状袋体１６の下部に小孔２１を設けたことで収納した書類２２が深く脱落しないように収納されているかを確認できるものである。
【００１３】
又扁平状袋体１６を形成した折込板７の上縁に切欠傾斜縁部２３を設けたことで挿入口部１４が広くなり書類２２の収納操作が容易である。
【００１４】
又構造が極めて簡単で加工が容易であり、安価に提供できる等幾多の産業的効果を奏するものである。
【図面の簡単な説明】
【図１】この考案の展開図である。
【図２】この考案の正面図である。
【図３】貼着のり層を除いた背面図である。
【図４】この考案の背面図である。
【図５】図４にに於けるＡ−Ａ拡大断面図である。
【図６】ファイルに貼着前の説明斜視図である。
【図７】ファイルに貼着した状態を示した使用説明図である。
【符号の名称】
１  基板
２  第１下折線
３  第１下中心折線
４  第２下折線
５  小幅第１連設板
６  小幅第２連設板
７  折込板
８  第１左右折線
９  第１左右中心折線
１０  第２左右折線
１１  小幅第２左右連設板
１２  小幅第１左右連設板
１３  貼着板
１４  挿入口部
１５  挿入袋部
１６  扁平状袋体
１７  貼着のり層
１８  裏紙
１９  表紙
２０  剥離紙
２１  小孔
２２  書類
２３  切欠傾斜縁部
２４  切欠部
【図１】
0003609141.tif 000002
【図２】
0003609141.tif 000003
【図３】
0003609141.tif 000004
【図４】
0003609141.tif 000005
【図５】
0003609141.tif 000006
【図６】
0003609141.tif 000007
【図７】
0003609141.tif 000008